(57)【要約】      （修正有）【課題】整髪作業に支障をきたす、耳に負荷がかかって痛みを生じる、眼鏡やイヤホンがずれるなどの耳掛け紐に起因する不都合を回避することができるマスクを提供する。【解決手段】織布または不織布からなる、略四角形のマスク本体１と、シリコーン系粘着剤を含む粘着部３、４とを備え、粘着部が、マスク本体の上辺２、またはマスク本体の複数の隅に位置する。これによって、耳かけ紐を用いずにマスクを顔面に固定することができ、耳かけ紐に起因する不都合を回避することができる。【選択図】図１
0003228844.tif 000002
【実用新案登録請求の範囲】
【請求項１】
織布または不織布からなる、略四角形のマスク本体と、
シリコーン系粘着剤を含む粘着部とを備え、
前記粘着部が、前記マスク本体の上辺、または前記マスク本体の複数の隅に位置する、
口または鼻を覆うためのマスク。
【考案の詳細な説明】
【技術分野】
【０００１】
本考案は、装着に耳かけ紐を用いず、シリコーン系粘着剤によって顔面に固定可能なマスクに関する。
【背景技術】
【０００２】
マスクは、病気の感染拡大の予防、花粉やＰＭ２．５のような微粒子の吸引防止などを目的に、広く使用されている衛生用品である。また、口腔や喉の湿潤を保つことや、化粧をしていない顔を隠すことなど、より広範な用途で用いられることもある。
【０００３】
マスクは一般に、ガーゼなどの織布または不織布で構成されたマスク本体に、マスク本体を口と鼻を覆う位置に固定するための耳かけ紐が付属している。多くの場合、耳かけ紐は伸縮性を有する素材で製造され、伸ばしながら耳にかけ、縮む力によって本体を固定する構造となっている。あるいは、紐を耳にかけるのではなく、紐を後頭部に回して固定する構造のものも存在する。後頭部でマスクを固定するものは、医療現場のような長時間の使用を想定する場合や、顔面への密着性が求められる場合に使用される。
【０００４】
このような、耳または後頭部でマスクを固定する構造には、後述するように、不都合が生じる利用シーンが存在する。
【０００５】
特許文献１には、第１および第２の保持部がマスク面布から延出して設けられ、第１および第２の保持部には、シリコンゲル系の粘着剤からなる粘着層が設置されたマスクが開示されている。この構造においては、保持部が延出していることによって、材料からマスク面布を切り出す際のロス、またはマスク面布に保持部を接続するための加工作業のいずれかが発生する。すなわち、より簡易な構造において機能を実現するという観点において、改善の余地がある。
【先行技術文献】
【特許文献】
【０００６】
【特許文献１】特許第５１４３９７０号公報
【考案の概要】
【考案が解決しようとする課題】
【０００７】
従来のマスクは、多くの製品が、耳または後頭部でマスクを固定するための紐を有する。しかし、美容院や理髪店などでは、耳の周囲や後頭部の髪を切る際に、作業に支障をきたすこととなる。また、耳かけ紐によって耳に負荷がかかり、着用者が痛みを感じるという問題もある。
【０００８】
さらに、眼鏡やイヤホンを使用している場合、一時的にマスクを外す際に、耳かけ紐が絡んで眼鏡やイヤホンがはずれたり、位置がずれたりするという不都合もある。これらはいずれも、マスクを顔面に固定するための手段として、紐状のものがマスク本体から延びていることに起因する。
【課題を解決するための手段】
【０００９】
上記課題を解決するため、本考案は、織布または不織布からなる、略四角形のマスク本体と、シリコーン系粘着剤を含む粘着部とを備え、前記粘着部が、前記マスク本体の上辺、または前記マスク本体の複数の隅に位置する、口または鼻を覆うためのマスクを提供する。
【考案の効果】
【００１０】
本考案のマスクは、シリコーン系粘着剤によって顔面に固定することにより、耳かけ紐を用いずに装着することができる。これによって、整髪時、および眼鏡やイヤホン等を使用している場合などの、耳かけ紐に起因する不都合を回避することができる。
【００１１】
さらに、粘着部がマスク本体の上辺に位置する本考案の実施形態においては、マスク上辺における密着性を高めることができる。これによって、マスク上部から放出された呼気が眼鏡にかかり、眼鏡を曇らせるのを防止することができる。
【図面の簡単な説明】
【００１２】
【図１】本考案のマスクを示す平面図である。
【考案を実施するための形態】
【００１３】
本考案のマスクは、マスク本体の材料として、一般的な衛生マスクに用いられる、通気性を有する織布または不織布を用いることができる。マスク本体の形状は、略四角形である。すなわち、４つの頂点を有し、これらの頂点を線で結んだ形状である。ただし、各辺は必ずしも直線でなくてもよく、所望により、曲線で結んだ形状であってもよい。また、頂点は必ずしも角をなさなくてもよく、例えば、滑らかな曲線によって各辺をつないでもよい。
【００１４】
さらに、本明細書における略四角形とは、必ずしも平面であることを意図しない。例えば、立体裁断することによって、中央部などのマスク本体の一部が、頂点と同一平面に位置しなくてもよい。また、マスク本体がプリーツ構造を備え、広げて変形させることが可能である場合も、本明細書における「略四角形」に含まれるものとする。
【００１５】
本考案における粘着部は、マスク本体に、シリコーン系粘着剤を塗布することによって形成される。シリコーン系粘着剤は、ケイ素含有ポリマーであるシリコーンゴムとシリコーン樹脂とを配合することによって製造される。これらの比率を適宜調整することによって、粘着力を制御することができる。本考案における粘着部については、使用者に不快感を与えずに剥離し、繰り返し着脱することが可能な、弱粘着性の粘着剤が好ましい。
【００１６】
シリコーン系材料は一般に、化学的に安定であり、生体適合性も高い。また、アレルギー反応を起こすおそれも少ないと考えられている。そのため、医療用品、調理器具など、安全性が特に求められる分野においても用いられている。シリコーン系粘着剤を直接、皮膚に適用するという観点においては、医療用テープの他、肩紐やアンダーベルトを用いずに皮膚に貼付するタイプのブラジャーにおいて、使用実績がある。したがって、本考案のマスクにおいても、健康上の問題は懸念されない。
【００１７】
本考案のマスクにおける粘着部の位置は、図１に斜線部で示すように、マスク本体の上辺、またはマスク本体の複数の隅である。これらのいずれかであっても、両方であってもよい。「マスク本体の上辺」とは、上辺全体であっても、上辺の一部であってもよい。「マスク本体の隅」とは、略四角形の形状を有するマスク本体の頂点付近を意味する。したがって、粘着部は例えば、マスク本体の上辺のみに位置してもよい。あるいは、上辺と、下辺の左右２箇所の隅とに位置してもよい。あるいは、上辺の左右２箇所の隅と、下辺の左右２箇所の隅とに位置してもよい。
【００１８】
眼鏡使用時にマスクを着用する場合、眼鏡が曇るという問題がある。これは、呼気には多くの水分が含まれており、眼鏡のレンズに当たって冷やされることにより、レンズ表面で結露するためである。粘着部がマスク本体の上辺に位置する本考案のマスクによれば、マスク上辺における密着性が高まり、呼気が上辺以外から放出される。そのため、呼気が眼鏡のレンズに当たらず、眼鏡が曇るという問題を回避することができる。
【００１９】
粘着部の数または面積が増加するにつれて、使用者の顔面への密着性や安定性が上昇する。一方、粘着部の数または面積を限定することによって、本考案のマスクを外すことが容易となる。例えば、マスク本体の下側には粘着部を設けない、または粘着部の面積を小さくすることによって、マスクを外しやすくなる。このような実施形態は、飲み物を飲むときなど、一時的に口を露出させたい場合には好ましい。あるいは、マスクを粘着させることによる化粧崩れを回避したい場合には、マスク本体の四隅など、目立たない位置に粘着部を設けることが好ましい。
【００２０】
なお、本考案は上記の実施形態に限定されるものではなく、本考案の趣旨に基づいて種々変形させることが可能であり、それらを本考案の範囲から排除するものではない。
【符号の説明】
【００２１】
１  マスク本体
２  上辺
３  粘着部（上辺）
４  粘着部（隅）
【図１】
0003228844.tif 000003